【手続補正書】
【提出日】平成13年12月4日(2001.12.4)
【手続補正１】
【補正対象書類名】明細書
【補正対象項目名】特許請求の範囲
【補正方法】変更
【補正の内容】
【特許請求の範囲】
【請求項１】
コンピュータによって実行される方法において：
マクロ経済データ（ＭＥＤ）を含む変数の関数として特許のカバーフラクション（ＣＦ）の値を定義する式に基づいて、前記特許に関する前記ＣＦの値を決定するステップ；および、
前記値に基づいて前記特許に関する指標を表示するステップ；
を含む前記方法。
【請求項２】
前記ＭＥＤは、マクロ経済指標（ＭＥＩ）に関する値であることを特徴とする請求項１記載の方法。
【請求項３】
前記ＭＥＤは、経済のセクタによって生成されるＭＥＩの部分に関する値であることを特徴とする請求項１記載の方法。
【請求項４】
前記決定するステップは、前記ＭＥＤを実質的にすべての特許に関するＣＦの値の合計に等しいとする式において、前記特許に関する前記ＣＦの前記値について解くことを含む請求項１記載の方法。
【請求項５】
前記ＭＥＤは、経済のセクタによって生成されるＭＥＩの部分に関する値であり、前記決定するステップは、前記ＭＥＤを前記セクタに関連付けされた実質的にすべての特許に関する前記ＣＦの値の合計に等しいとする式において、前記特許に関する前記ＣＦの前記値について解くことを含む請求項１記載の方法。
【請求項６】
前記決定するステップは、前記ＭＥＩに関連付けされた実質的にすべての特許のそれぞれに関して相対価値数を決定することを含む請求項１記載の方法。
【請求項７】
前記相対価値数は、前記特許に固有の、少なくとも１つの特性の測定値であることを特徴とする請求項６記載の方法。
【請求項８】
前記少なくとも１つの特性は、独立クレームの長さであることを特徴とする請求項７記載の方法。
【請求項９】
前記少なくとも１つの特性は、独立クレームの数であることを特徴とする請求項７記載の方法。
【請求項１０】
前記少なくとも１つの特性は、前記特許のセクションの長さの程度であることを特徴とする請求項７記載の方法。
【請求項１１】
前記少なくとも１つの特性は、クレームのクラス数であることを特徴とする請求項７記載の方法。
【請求項１２】
前記少なくとも１つの特性は、クレームの数であることを特徴とする請求項７記載の方法。
【請求項１３】
前記ＭＥＤは、経済のセクタによって生成されるＭＥＩの部分に関する値であり、前記決定するステップは、前記セクタに関連付けされた実質的にすべての特許のそれぞれに関する相対価値数を決定することを含む請求項１記載の方法。
【請求項１４】
前記決定するステップは、前記ＭＥＤを実質的にすべての特許に関する相対価値数の合計の定数倍に等しいとする式において、前記特許に関する前記ＣＦの前記値について解くことを含む請求項１記載の方法。
【請求項１５】
前記ＭＥＤは、経済のセクタによって生成されるＭＥＩの部分に関する値であり、前記決定するステップは、前記ＭＥＤを前記セクタに関連付けされた実質的にすべての特許に関する相対価値数の合計の定数倍に等しいとする式において、前記特許に関する前記ＣＦの前記値について解くことを含む請求項１記載の方法。
【請求項１６】
さらに、前記特許を経済のセクタに関連付けするステップを含む請求項１記載の方法。
【請求項１７】
さらに、前記特許に関する少なくとも１つの特許分類を少なくとも１つの産業コードに対応付けすることによって、前記特許を経済のセクタに関連付けするステップを含む請求項１記載の方法。
【請求項１８】
さらに、前記特許に関連付けされた少なくとも１つの特許分類を定義する単語の、産業分類コードを定義する単語に対する相関をランク付けすることによって、前記特許を経済のセクタに関連付けするステップを含む請求項１記載の方法。
【請求項１９】
前記ＭＥＩは、所定期間にわたって作り出された物およびサービスの測定値であることを特徴とする請求項１記載の方法。
【請求項２０】
前記ＭＥＩは、所定期間にわたってもたらされた収益の測定値であることを特徴とする請求項１記載の方法。
【請求項２１】
さらに、前記特許に関する前記ＣＦの前記値に部分的に基づいて前記特許に関する評価を決定するステップ；および、
前記特許の前記評価に基づいて指標を表示するステップ；
を含む請求項１記載の方法。
【請求項２２】
請求項２１の方法そこで，前記評価は，収入評価理論に基づく．
【請求項２３】
請求項２２の方法そこで，前記評価は，内部収益率に基づく．
【請求項２４】
２２が前記特許の包含している実施できる命を決めることを進めるという主張の方法．
【請求項２５】
１つの前記特許のための評価を決めることのそれ以上のステップを包含することが前記ＣＦの前記価値で部分で基礎としてなぜなら特許と言ったという主張の方法；および
指示が前記特許のための前記評価に基づかせた展示すること．
【請求項２６】
特許の書類かばんにとって評価を決めることのステップを包含するのがそれ以上の請求項２１の方法 含んでいる前記特許；および
前記書類かばんのための指示が前記評価に基づかせた展示すること．
【請求項２７】
請求項１の方法そこで，前記均衡は，ＭＣＦを含めて変数の機能として前記特許の前記ＣＦの前記価値を限定する．
【請求項２８】
請求項２７の方法そこで，前記ＭＣＦは，資金合計への無形物の比率および収益から総売上高の比率の１つに等しい価値を持っている．
【請求項２９】
請求項１の方法そこで，前記均衡は，異なる特許のために相対的な特許番号を含めて変数の機能として前記特許の前記ＣＦの前記価値を限定する．
【請求項３０】
請求項１の方法そこで，前記均衡は，他の特許の複数のために相対価値番号を含めて変数の機能として前記特許の前記ＣＦの前記価値を限定する．
【請求項３１】
コンピュータシステム，包含すること：
前記特許のためにＭＥＤ，前記ＣＦの前記価値を含めて変数の機能として特許のＣＦの価値を限定する均衡に基づく，決心するための方法 ；および
前記特許のための指示が前記価値に基づかせた展示するための方法．
【請求項３２】
請求項３１のシステムそこで，前記ＭＥＤは，ＭＥＩにとって価値だ．
【請求項３３】
請求項３１のシステムそこで，前記ＭＥＤは，節約のセクターによって生みだされるＭＥＩの一部分のための価値だ．
【請求項３４】
請求項３１のシステムそこで，本質的にすべての特許のために前記ＭＥＤを前記ＣＦの合計価値と同等視する均衡で前記特許のために前記ＣＦの前記価値にとって解いている包含することを決めるための前記方法．
【請求項３５】
請求項３１のシステムそこで，前記ＭＥＤは，ＭＥＩの一部分のための価値が節約のセクターによって生みだしたということだ，本質的にすべての特許のために前記ＭＥＤを前記ＣＦの合計価値と同等視する均衡で前記特許のために前記ＣＦの前記価値のために解くための包含している方法を決めるための前記方法が交際したで言う扇形に分割する．
【請求項３６】
請求項３１のシステムそこで，決心するための前記方法は，それぞれの本質的にすべての特許のための相対価値番号が前記ＭＥＩに関連したことを決定するための方法を包含する．
【請求項３７】
請求項３６のシステムそこで，前記相対価値番号は，前記特許に特徴的であって固有である最低ものの測定だ．
【請求項３８】
請求項３７のシステムそこで，特徴的な最低ものが独立している請求項の１長さだと言った．
【請求項３９】
請求項３７のシステムそこで，特徴的な最低ものが多くの独立している要求だと言った．
【請求項４０】
請求項３７のシステムそこで，特徴的な最低ものが前記特許の部分の１長さの測定だと言った．
【請求項４１】
請求項３７のシステムそこで，特徴的な最低ものが多くのクラスの要求だと言った．
【請求項４２】
請求項３７のシステムそこで，特徴的な最低ものが多くの要求だと言った．
【請求項４３】
請求項３１のシステムそこで，前記ＭＥＤは価値で，なぜなら，ＭＥＩの一部分は，節約のセクターによって生みだして，そして決心するための方法がそれぞれの本質的にすべての特許のための相対価値番号が前記セクターに関連したことを決定するための方法を包含すると言った．
【請求項４４】
請求項３１のシステムそこで，決心するための方法が解くことを包含すると言ってなぜなら本質的にすべての特許のために前記ＭＥＤを合計相対価値が数えられるたえまない時と同等視する均衡で前記特許のために前記ＣＦの価値と言った．
【請求項４５】
請求項３１のシステムそこで，前記ＭＥＤは，ＭＥＩの一部分のための価値が節約のセクターによって生みだしたということだ，および決心するための方法が解くことを包含すると言ってなぜなら本質的にすべての特許のために前記ＭＥＤを合計相対価値が数えられるたえまない時と同等視する均衡で前記特許のために前記ＣＦの価値と言った交際するで言う扇形に分割する．
【請求項４６】
３１が包含することを進めるという主張のシステムは，前記特許で経済のセクターを連想するために意味する．
【請求項４７】
３１のそれ以上の包含することが最低１つの工業のコードにとって前記特許で最低１に一致すること特許分類による経済のセクターを連想するためであって，なぜなら言われる特許の意味を持つという主張のシステム．
【請求項４８】
３１のそれ以上の包含することが特許分類を最低１に限定して単語の相互関係を並べることによって前記特許で経済のセクターを連想することに与えるつもりの要求のシステムは，業種別分類コードを定義する単語への前記特許に関連した．
【請求項４９】
請求項３１のシステムそこで，前記ＭＥＩは，品物の測定，および一定期間の間生じられたサービスだ．
【請求項５０】
請求項３１のシステムそこで，前記ＭＥＩは，収益の測定が一定期間の間製造したということだ．
【請求項５１】
３１のそれ以上の包含することが前記特許のために前記ＣＦの前記価値で一部分で前記特許のための評価が基礎としたことを決定するために意味するという主張のシステム；および
指示が前記特許のための前記評価に基づかせた展示するための方法．
【請求項５２】
請求項５１のシステムそこで，前記評価は，収入評価理論に基づく．
【請求項５３】
請求項５２のシステムそこで，前記評価は，内部収益率に基づく．
【請求項５４】
５２のそれ以上の包含することが前記特許の実施できる命を決めることに与えるつもりの請求項のシステム．
【請求項５５】
３１のそれ以上の包含することが前記特許のために前記ＣＦの前記価値で一部分で前記特許のための評価が基礎としたことを決定するために意味するという主張のシステム；および
指示が前記特許のための前記評価に基づかせた展示するための方法．
【請求項５６】
３１のそれ以上の包含することが特許の書類かばんのための評価を決めることに与えるつもりの要求のシステム 含んでいる前記特許；および
前記書類かばんのための指示が前記評価に基づかせた展示するための方法．
【請求項５７】
請求項３１のシステムそこで，前記均衡は，ＭＣＦを含めて変数の機能として前記特許の前記ＣＦの前記価値を限定する．
【請求項５８】
請求項５７のシステムそこで，前記ＭＣＦは，資金合計への無形物の比率および収益から総売上高の比率の１つに等しい価値を持っている．
【請求項５９】
請求項３１のシステムそこで，前記均衡は，異なる特許のために相対的な特許番号を含めて変数の機能として前記特許の前記ＣＦの前記価値を限定する．
【請求項６０】
請求項３１のシステムそこで，前記均衡は，他の特許の複数のために相対価値番号を含めて変数の機能として前記特許の前記ＣＦの前記価値を限定する．
【請求項６１】
コンピュータがステップを包含する方法を実行した，：
含んで合図を送ること 特許のＣＦの価値のための指示 前記価値は，ＭＥＤを含めて変数の機能として特許のＣＦの価値を限定する均衡に基づいて決心した．
【請求項６２】
コンピュータがステップを包含する方法を実行した，：
実施できる特許の１／１数が最初の期間で実体によって所有したことを決定すること；
実施できる特許の１／２数が第２の期間で前記実体によって所有したことを決定すること；および
指示が（１）前記最初の期間の前記最初の数および（２）前記第２の期間の前記秒番号に基づかせた展示すること．
【請求項６３】
コンピュータがステップを包含する方法を実行した，：
特許の最初の評価が最初の期間で実体によって所有したことを決定すること；
特許の第２の評価が第２の期間で実体によって所有したことを決定すること；および
指示が（１）前記最初の期間の前記最初の評価および（２）前記第２の期間の前記第２の評価に基づかせた展示すること．
【請求項６４】
コンピュータがステップを包含する方法を実行した，：
特許の最初のＣＦが最初の期間で実体によって所有したことを決定すること；
特許の第２のＣＦが第２の期間で実体によって所有したことを決定すること；および
指示が（１）前記最初の期間の前記最初のＣＦおよび（２）前記第２の期間の前記第２のＣＦに基づかせた展示すること．
【請求項６５】
コンピュータがステップを包含する方法を実行した，：
特許の１／１数が最初の期間期間の間に実体によって得たことを決定すること；
特許の１／２数が第２の期間期間の間に前記実体によって得たことを決定すること；および
指示が（１）前記最初の数，および前記最初の期間期間，および（２）前記秒番号，および前記第２の期間期間に基づかせた展示すること．
【請求項６６】
コンピュータがステップを包含する方法を実行した，：
推定するから かなり多くの実施できる特許は，未来の期間の未来番号より前の様々な期間の実体によって所有した；および
指示が前記未来番号，および前記未来の期間に基づかせた展示すること．
【請求項６７】
コンピュータがステップを包含する方法を実行した，：
前記実体の未来の期間の未来のＣＦより前の様々な期間で実体のＣＦから推定している；および
指示が前記未来のＣＦ，および前記未来の期間に基づかせた展示すること．
【請求項６８】
コンピュータがステップを包含する方法を実行した，：
実施できる特許の評価からの推定することは，未来の期間の未来の評価より前の様々な期間の実体によって所有した；および
指示が前記未来の評価，および前記未来の期間に基づかせた展示すること．
【請求項６９】
コンピュータがステップを包含する方法を実行した，：
かなり多くの実施できる特許からの推定することは，未来の期間の未来番号より前の様々な期間の実体によって所有した；および
指示が前記未来番号，および前記未来の期間に基づかせた展示すること．
【請求項７０】
【請求項７１】
コンピュータがステップを包含する方法を実行した，：
推定するから ＣＦが未来の期間と評価する前記実体の未来より前の様々な期間の実体のＣＦのための価値；および
指示が前記実体の未来のＣＦに基づかせた展示することは，未来の期間と評価して言った．
【請求項７２】
コンピュータがステップを包含する方法を実行した，：
実体のために最低１つのＨＰＦ，ＣＰＦ，およびＦＰＦ比率を決めること；および
断固とした比率を表すおよびひとつの同一視する，実体．
【請求項７３】
コンピュータがステップを包含する方法を実行した，：
実体のために最低１つのＨＰ，ＣＰ，およびＦＰＳ比率を決めること；および
断固とした比率を表すおよびひとつの同一視する，実体．
【請求項７４】
コンピュータがステップを包含する方法を実行した，：
人口統計学の特許価値を決めて，合計特許のために，地理学の地域，経済のセクター，の会議１以上の基準は，分類，および譲り受け人に特許権を与える；および
会っている言われた人口統計学の特許価値に基づかせられた展示することは，１以上の基準と言った．
【請求項７５】
コンピュータがステップを包含する方法を実行した，：
節約のそれで特許が始まって終わるデートの相手にみんなを兼ねてそれぞれの本質的にすべての特許にとって実施できる決意をさせること，および前記節約の経済のセクター；
前記日に基礎とされて，前記セクター，および前記節約の１つに多くの実施できる特許を決めること；および
指示が前記数で部分では少なくとも基礎としたことを示すこと．
【請求項７６】
データベース，包含している前記データベース：
記録の複数，そこで
それぞれの記録は，特許のＩＤ，および前記特許の要求の１長さの測定をしまっておく．
【請求項７７】
データベース，包含している前記データベース：
記録の複数，そこで
それぞれの記録は，特許のＩＤ，および最低１つの前記特許に固有の相対価値特徴の測定をしまっておく．
【請求項７８】
請求項７５のデータベースそこで，前記特許に固有の前記相対価値特徴は，前記特許のデータ・フィールドの（１）長さの単位のセットのメンバーだ，（２）データの参加の数は，前記特許，および（３）で守備につく独立の数は主張する．
【請求項７９】
請求項７５のデータベースそこで，それぞれは，日，実施できる期末日，相対価値番号，およびＣＦを始めて記録がより遠く実施できる用語のセットのメンバーを蓄えると言った．
【請求項８０】
コンピュータがステップを包含する方法を実行した，：
決心していて，ＭＥＤ，前記ＣＦの前記価値を含めて変数の機能として特許のＣＦの価値を限定する均衡に基づいて，なぜなら言われる特許 ；および
助言して合図を生みだすこと，あるいは前記価値で少なくとも一部分で基礎とされた金融取引を実行することを教えること．
【請求項８１】
コンピュータがステップを包含する方法を実行した，；
価値が特許データに基づかせた決心すること；および
前記価値によっては金融取引を実行するために指示を送ること．
【請求項８２】
コンピュータがステップを包含して，方法を実行した，：
前記ユーザー，財政上の商事会社のためのインターネット・アドレスへのリンクを含む前記ファイル，のユーザーのアドレスに特許である最低ものの間特許価値情報を含むファイルを送ること，およびＩＤが（１）のうち１つの前記ユーザーのＩＤをまた含むリンクと言ったおよび（２）持ち主のＩＤ，特許である最低ものは，言った．
【請求項８３】
コンピュータがステップを包含して，方法を実行した，：
示している職業のユーザー情報が確立する（べき）ユーザーは，最低１つの毎年の総収入，およびネットワーク組織価値を包含する投資家地位を功績とした，そして，最低１つのビジネス所有権，投資することに歴史，コースを費やす株式市場，がライセンスを与える鼓舞投資知識，および少なくとも１金融機関でどちら言うユーザー維持するひとつの金融勘定のために少なくとも１，金およびセキュリティ，そして，前記アカウントへのアクセスのための権限付与；
前記ユーザーから受領して，最低１つの毎年の総収入，およびデータ相当のネットワーク組織，および最低１つのビジネス所有権，投資することに歴史，コースを費やす株式市場，は，投資知識データを示す職業でライセンスを与える；
前記金融機関に前記アカウントにおける機敏な財政上の情報を伝えること； および
資格を得ることは，公認の投資家がデータの部分では少なくとも基礎としたユーザーが前記ユーザーから，および前記金融機関から受領したと言った．
【請求項８４】
前記ユーザーから受領の８１のそれ以上のステップを包含することを要求するために一致する方法ひとつの同一視する，前記ユーザーから受け取られたデータと一緒に前記ユーザーから受け取られたデータの立証のために前記第三者にきっかけを送って，１／３は楽しむ；および
公認の投資家がデータの部分では少なくとも基礎とした前記投資家が前記第三者から受け取った資格を得ること．
【請求項８５】
包含している製品：
信号の含むこと 特許のＣＦの価値の指示 前記価値は，ＭＥＤを含めて変数の機能として特許のＣＦの価値を限定する均衡に基づいて決心した．
【請求項８６】
包含している製品：
そうすることをコンピュータを教える情報を含む合図 特許のための指示が前記ＣＦの前記特許の，前記価値のＣＦの価値に基づかせたディスプレイ ＭＥＤを含めて変数の機能としてＣＦを限定する均衡に基づく．
【請求項８７】
請求項８６の製品そこで，前記指示は，前記特許の前記ＣＦの前記価値を含む．
【請求項８８】
請求項８６の製品そこで，前記指示は，前記特許の評価を含む．
【請求項８９】
請求項８６の製品そこで，前記指示は，前記特許を所有して会社の評価を含む．
【請求項９０】
請求項８６の製品そこで，前記合図はＥメールだ．
【請求項９１】
請求項８６の製品そこで，前記合図は，ウェブページだ．
【請求項９２】
包含している製品：
信号の含むこと 会社によって所有されて， ＣＦの価値の指示が最低１の間特許をとる前記価値は，ＭＥＤを含めて変数の機能として特許のＣＦの価値を限定する均衡に基づいて決心した．
【請求項９３】
包含している製品：
限定している均衡に基づかせられた前記会社，前記ＣＦの前記価値によって特許であって所有された最低ものの間会社のための指示がＣＦの価値に基づかせたコンピュータに表示するように指示する情報を含む合図ＣＦとしてひとつの機能，変数を含むひとつのＭＥＤ．
【請求項９４】
請求項９３の製品そこで，前記ＣＦは，前記会社によって所有された特許の複数に基づく．
【請求項９５】
請求項９３の製品そこで指示が前記ＣＦの前記価値を含むと言う，特許である最低ものは，言った．
【請求項９６】
請求項９３の製品そこで，前記会社によって所有されて，前記指示は，特許の複数の評価を含む．
【請求項９７】
請求項９３の製品そこで，前記指示は，前記会社の評価を含む．
【請求項９８】
請求項９３の製品そこで，前記合図はＥメールだ．
【請求項９９】
請求項９３の製品そこで，前記合図は，ウェブページだ．
【請求項１００】
包含している製品：
ディスプレイ， 特許のＣＦの価値の指示 前記価値は，ＭＥＤを含めて変数の機能として特許のＣＦの価値を限定する均衡に基づいて決心した．
【請求項１０１】
請求項１００の製品そこで，前記ディスプレイは，前記変数の１つの間（１）のうち最低１つの前記均衡，（２）最低１つの前記変数，および（３）最低１価値の指示をまた含む．
【請求項１０２】
包含している製品：
特許のための指示のディスプレイは，前記特許のＣＦの価値で基礎としたと，ＭＥＤを含めて変数の機能としてＣＦを限定する均衡に基づかせられた前記ＣＦの価値は言った．
【請求項１０３】
請求項１０２の製品そこで，前記指示は，前記特許の前記ＣＦの前記価値を含む．
【請求項１０４】
請求項１０２の製品そこで，前記指示は，前記特許の評価を含む．
【請求項１０５】
請求項１０２の製品そこで，前記指示は，前記特許を所有して会社の評価を含む．
【請求項１０６】
請求項１０２の製品そこで，前記ディスプレイは，モニター画面ディスプレイだ．
【請求項１０７】
請求項１０２の製品そこで，前記ディスプレイは，印刷されたディスプレイだ．
【請求項１０８】
包含している製品：
含んでいるディスプレイ 会社によって所有されて， ＣＦの価値の指示が最低１の間特許をとる前記価値は，ＭＥＤを含めて変数の機能として特許のＣＦの価値を限定する均衡に基づいて決心した．
【請求項１０９】
包含している製品：
ＭＥＤを含めて変数の機能としてＣＦを限定する均衡に基づかせられた前記会社，前記ＣＦの前記価値によって特許であって所有された最低ものの間ＣＦの価値に基づかせられた会社のための指示を含むディスプレイ．
【請求項１１０】
請求項１０９の製品そこで，前記ＣＦは，前記会社によって所有された特許の複数に基づく．
【請求項１１１】
請求項１０９の製品そこで指示が前記ＣＦの前記価値を含むと言う，特許である最低ものは，言った．
【請求項１１２】
請求項１０９の製品そこで，前記会社によって所有されて，前記指示は，特許の複数の評価を含む．
【請求項１１３】
請求項１０９の製品そこで，前記指示は，前記会社の評価を含む．
【請求項１１４】
請求項１０９の製品そこで，前記ディスプレイは，モニター画面だ ディスプレイ．
【請求項１１５】
請求項１０９の製品そこで，前記ディスプレイ 印刷されたディスプレイだ．
【請求項１１６】
請求項１０９の製品そこで，前記ディスプレイは，グラフィックを最低１に含む．
【請求項１１７】
請求項１０９の製品そこで，前記ディスプレイは，チャートを最低１に含む．
【請求項１１８】
請求項１０９の製品そこで，前記 指示は含む 特許のためのＣＦのための価値は，前記会社対期間までに所有した．
【請求項１１９】
請求項１０９の製品そこで，前記指示は，前記会社対期間までに所有された特許のために評価を含む．
【請求項１２０】
請求項１０９の製品そこで，前記指示は，前記会社対期間の財政上の評価に前記会社によって所有された特許のための１つのＣＦ，および前記会社によって所有された特許のための評価の比率を含む．